(57)【要約】      （修正有）【課題】駆動レバーの位置精度をラフに設定した場合であっても、所望の通過光量に調節することができる光量調節装置を提供する。【解決手段】光量調節装置１は、光路開口６１を有する地板６０と、互いに相反する方向に移動して光路開口６１を通過する光量を調節する第１羽根２０、補助羽根３０及び第２羽根５０と、これら一対の羽根と連結され回動することにより一対の羽根を駆動する駆動レバー７０とを備え、駆動レバー７０は、一対の羽根が光路開口６１を所定の通過光量に調節する際に、駆動レバー７０の回動の中心を通過し羽根の移動方向に平行な仮想線Ａを中心とする９０度の角度範囲内に位置する。【選択図】          図３
2008065252.tif 000002
【特許請求の範囲】
【請求項１】
開口部を有する地板と、互いに相反する方向に直進移動して前記開口部を通過する光量を調節する一対の羽根と、前記一対の羽根と連結され回動することにより前記一対の羽根を駆動する駆動レバーとを備え、
前記駆動レバーは該駆動レバーの回動の中心を通過し前記羽根の移動方向に平行な仮想線を中心とする９０度の角度範囲内で回動する、ことを特徴とする光量調節装置。
【請求項２】
開口部を有する地板と、互いに相反する方向に直進移動して前記開口部を通過する光量を調節する一対の羽根と、前記一対の羽根と連結され回動することにより前記一対の羽根を駆動する駆動レバーとを備え、
前記駆動レバーはその回動範囲の一端から他端の間に少なくとも１ヶ所の途中位置において停止位置を有し、該停止位置における前記駆動レバーは該駆動レバーの回動の中心を通過し前記羽根の移動方向に平行な仮想線を中心とする９０度の角度範囲内に位置する、ことを特徴とする光量調節装置。
【請求項３】
前記一対の羽根は、前記駆動レバーに突設されたピンに係合する長孔がそれぞれに形成され、
前記長孔は、各羽根に幅方向に渡って形成されている、ことを特徴とする請求項１又は２に記載の光量調節装置。
【請求項４】
前記途中位置における前記開口部の状態は、全閉状態である、ことを特徴とする請求項２又は３に記載の光量調節装置。
【発明の詳細な説明】
【技術分野】
【０００１】
本発明は、カメラ用の光量調節装置に関する。
【背景技術】
【０００２】
従来から、カメラ用の光量調節装置として、開口部を有する地板に対して少なくとも２枚の羽根を直線的に相反する方向に移動自在に支持し、これらの羽根と連結された駆動レバーの円弧運動を、直線運動として羽根に出力して、開口部を通過する光量を調節する装置が提案されている（特許文献１参照）。
【０００３】
【特許文献１】特開平５−２４１２２４号公報
【発明の開示】
【発明が解決しようとする課題】
【０００４】
しかしながら、従来の光量調節装置は、駆動レバーの円弧運動の方向と、羽根の移動方向とは、略平行に近いため、駆動レバーの位置ずれによる絞り羽根の位置ずれへの影響が大きかった。特に、開口部を所望の通過光量に調節、すなわち所望の開口径を保持する際には、このような駆動レバーのわずかな位置ずれにより、開口径が大きく変動する恐れがあった。従って、従来の光量調節装置は、駆動レバーの位置精度を正確に設定する必要があった。
【０００５】
そこで、本発明は、駆動レバーの位置精度をラフに設定した場合であっても、所望の開口径を保持することができる光量調節装置を提供する。
【課題を解決するための手段】
【０００６】
上記目的は、開口部を有する地板と、互いに相反する方向に直進移動して前記開口部を通過する光量を調節する一対の羽根と、前記一対の羽根と連結され回動することにより前記一対の羽根を駆動する駆動レバーとを備え、前記駆動レバーは該駆動レバーの回動の中心を通過し前記羽根の移動方向に平行な仮想線を中心とする９０度の角度範囲内で回動する、ことを特徴とする光量調節装置によって達成できる。
この構成により、駆動レバーは、一対の羽根が開口部を全閉状態叉は全開状態にする際に、その回動の中心を通過し羽根の移動方向に平行な仮想線を中心とする９０度の角度範囲内で回動するので、所定の開口径から駆動レバーの位置が僅かにずれた場合であっても、羽根の移動には大きく影響しない。従って、駆動レバーの位置精度をラフに設定した場合であっても、所望の開口径を保持することができる。
【０００７】
また上記目的は、開口部を有する地板と、互いに相反する方向に直進移動して前記開口部を通過する光量を調節する一対の羽根と、前記一対の羽根と連結され回動することにより前記一対の羽根を駆動する駆動レバーとを備え、前記駆動レバーはその回動範囲の一端から他端の間に少なくとも１ヶ所の途中位置において停止位置を有し、前記停止位置における前記駆動レバーは該駆動レバーの回動の中心を通過し前記羽根の移動方向に平行な仮想線を中心とする９０度の角度範囲内に位置する、ことを特徴とする光量調節装置によって達成できる。
この構成により、駆動レバーは、一対の羽根が開口部を所定の開口径にする際に、その回動の中心を通過し羽根の移動方向に平行な仮想線を中心とする９０度の角度範囲内に位置するので、所定の開口径から駆動レバーの位置が僅かにずれた場合であっても、羽根の移動には大きく影響しない。従って、駆動レバーの位置精度をラフに設定した場合であっても、所望の開口径を保持することができる。
【０００８】
また、上記の各構成において、前記一対の羽根は、前記駆動レバーに突設されたピンに係合する長孔がそれぞれに形成され、前記長孔は、各羽根に幅方向に渡って形成されている、構成を採用できる。
この構成により、前記一対の羽根の幅方向に渡って長孔が形成されているので、前記駆動レバーは、その回動の中心を通過し前記羽根の移動方向に平行な仮想線を中心とする９０度の角度範囲内に位置することができる。
【０００９】
また、上記構成において、前記途中位置における前記開口部の状態は、全閉状態である、構成を採用できる。
この構成により、全閉時における再露光を防止できる。
【発明の効果】
【００１０】
本発明によれば、駆動レバーの位置精度をラフに設定した場合であっても、所望の開口径を保持することができる光量調節装置を提供することができる。
【発明を実施するための最良の形態】
【００１１】
以下、図面を参照して本発明に係る実施例を説明する。
【００１２】
図面を参照しながら本実施例の光量調節装置の構成を説明する。図１は、上方から見た光量調節装置１の分解斜視図である。図２は、下方から見た光量調節装置１の分解斜視図である。
光量調節装置１は、羽根押さえ板１０、第１羽根２０、補助羽根３０、羽根受け板４０、第２羽根５０、地板６０、駆動レバー７０、モータ部８０等から構成される。
第１羽根２０、補助羽根３０及び第２羽根５０は、その移動によって地板６０に形成された光路開口６１を通過する光量を調節する。
【００１３】
羽根押さえ板１０は、地板６０との間に挿入される羽根等を、光軸方向から押さえ込み、各羽根の光軸方向の移動量を規制する。
また、羽根押さえ板１０には、撮像素子（不図示）への光を通過させるための開口１１が形成されている。
また、羽根押さえ板１０には、開口１１が形成された側と反対側において、駆動レバー７０の第１ピン７１の逃げ孔１３が円弧状に形成され、第２ピン７２の逃げ孔１２が半円状に形成されている。
【００１４】
第１羽根２０には、光路開口６１の開口面積を変化させるための開口２１が、羽根の中央部全体に広がるように形成されている。また開口２１は、駆動レバー７０に形成された第２ピン７２の逃げ孔を兼ねている。
駆動レバー７０に形成された第１ピン７１と係合する長孔２２が、第１羽根２０の幅方向に渡って形成されている。この長孔２２は、途中でく字状に屈曲するカムとなっている。
また、地板６０に形成されたガイドピン６４と係合するガイド孔２４が、第１羽根２０の長手方向に伸長して形成されている。
【００１５】
補助羽根３０は、光路開口６１の開口面積を変化させるための開口３１が形成されている。
また補助羽根３０は、第１ピン７１と係合する長孔３２が、幅方向に渡って直線状に形成されている。ここで、第１羽根２０と補助羽根３０は駆動レバー７０に突設された同一の第１ピン７１と係合している。また補助羽根３０は、第１羽根２０と重なっており、第１羽根２０及び第２羽根５０と協動して光路開口６１を閉鎖状態となるように形成されている。
補助羽根３０は、第２ピン７２の移動を逃がす逃げ孔３３が半円状に形成されている。
また、補助羽根３０は、ガイドピン６４に係合するガイド孔３４が、その長手方向に伸長して形成されている。ガイド孔３４は、補助羽根３０の移動量に対応して、第１羽根２０に形成されたガイド孔２４よりも短く形成されている。
【００１６】
羽根受け板４０は、補助羽根３０と第２羽根５０との間に挟まれるように収納される。
また羽根受け板４０は、撮像素子への光を通過させるための開口４１が形成されている。
また羽根受け板４０は、第２ピン７２の逃げ孔４２が円弧状に形成され、第１ピン７１の逃げ孔４３が半円状に形成されている。
また羽根受け板４０は、ガイドピン６４と嵌め合う係止孔４４が形成されており、これにより羽根受け板４０は、地板６０に対して移動しないように固定される。
【００１７】
第２羽根５０は、その端部を切欠いて開口５１が形成されている。第２羽根５０は、第２ピン7２に係合する長孔５２が、第２羽根５０の幅方向に渡って形成されている。この長孔５２は、途中でく字状に屈曲するカムとなっている。
また第２羽根５０は、ガイドピン６４に係合するガイド孔５４が、その移動方向に沿って伸長して形成されている。
【００１８】
地板６０は、光路開口６１が形成されている。また、駆動レバー７０の逃げ孔６２が形成されている。また、光路開口６１の近傍に、ガイド孔５４、３４、２４と係合し、係止孔４４と嵌合するガイドピン６４が形成されている。また、地板６０の両側部の一部に、ガイド壁６５が形成されており、ガイドピン６４とガイド孔６５とにより、第１羽根２０、補助羽根３０及び第２羽根５０の移動が地板６０の長手方向に直線的に案内される。
【００１９】
駆動レバー７０は、その中心位置を回動中心として所定の作動角範囲内を回動し、その両端部に第１ピン７１及び第２ピン７２が羽根側に向けて突設されている。
また駆動レバー７０は、その回動範囲の一端から他端の間の少なくとも１ヶ所の途中位置において停止が可能となっている。すなわち駆動レバー７０が回動することにより、第１羽根２０、補助羽根３０及び第２羽根５０が駆動され、駆動レバー７０の一端、他端及び途中の停止位置において光路開口６１を通過する光量が調節される。
モータ部８０は、その回転軸を駆動レバー７０の中心位置で連結され、駆動レバー７０を駆動する。
【００２０】
次に、羽根の動作について説明する。
図３は、羽根の動作状態を示しており、図３（ａ）は、全開状態、（ｂ）は全閉状態、（ｃ）は小絞り状態を示している。尚、図３には、羽根押さえ板１０、羽根受け板４０及び地板６０の逃げ孔６２については省略してある。また、第１羽根２０及び補助羽根３０などの形状についても簡略化して記載してある。
【００２１】
図３（ａ）を参照して全開状態について説明する。
光路開口６１は、第１羽根２０に形成された開口２１と、補助羽根３０に形成された開口３１と、第２羽根５０に形成された開口５１とに囲まれるようにして全開状態が保持される。
また、駆動レバー７０は、光量調節装置１の幅方向と略平行となるように位置付けられる。
【００２２】
全開状態から全閉状態への動作について説明する。
図３（ａ）に示した、駆動レバー７０の回動範囲の他端である全開状態から、駆動レバー７０が反時計方向に回動して、第１羽根２０及び補助羽根３０を右方向に直進移動させ、第２羽根５０を左方向に直進移動させ、即ち第１羽根２０及び補助羽根３０と第２羽根５０とを相反する方向に直進移動させて光路開口６１の状態は図３（ｂ）に示すように、駆動レバー７０の回動範囲の途中位置である全閉状態に調節される。ここで第１羽根２０、補助羽根３０及び第２羽根５０により光路開口６１が遮蔽されて、全閉状態が保持される。
【００２３】
次に、全閉状態から小絞り状態への動作について説明する。
図３（ｂ）に示した、駆動レバー７０の回動範囲の途中位置である全閉状態から、駆動レバー７０が更に反時計方向に回転して、第１羽根２０及び補助羽根３０を左方向に直進移動させ、第２羽根５０を右方向に直進移動させて光路開口６１の状態は図３（ｃ）に示すように、駆動レバー７０の回動範囲の一端位置である小絞り状態に調節される。この小絞り状態は、開口２１及び開口５１の内輪郭により保持される。
【００２４】
以上のように、駆動レバー７０の回転により、光路開口６１の状態は、全開状態から全閉状態へ、全閉状態から小絞り状態へと調節される。
【００２５】
次に、全閉状態に調節される際の駆動レバー７０の位置について詳細に説明する。図４は、全閉状態に調節される際の駆動レバー７０の位置についての説明図である。
図４（ａ）には、光路開口６１の状態が全閉状態に調節される際の駆動レバー７０と、駆動レバー７０の回動中心Ｐを通過し、各羽根の移動方向に平行な仮想線Ａとが示されている。また、仮想線Ａから回動中心Ｐを中心として時計方向に４５°までの角度範囲内をα１、α３とし、反時計方向に４５°までの角度範囲内をα２、α４とする。また、上記以外の９０°の角度範囲内をβ１、β２とする。
【００２６】
全閉状態において第１ピン７１は、角度範囲α３内に位置し、第２ピン７２は、角度範囲α１内に位置する。即ち、全閉状態において駆動レバー７０は、仮想線Ａから時計方向に４５°の角度範囲内に位置する。
【００２７】
次に、光路開口６１の状態が全閉状態に調節される際に駆動レバー７０が上記の位置に位置付けられることによる効果について説明する。
図４（ｂ）は、全閉状態における駆動レバー７０の位置が、図４（ａ）に示した状態から僅かに反時計方向にずれた場合について示してある。図４（ｃ）は、駆動レバー７０が角度範囲β１、β２の位置に位置付けられており、その位置から僅かに反時計方向にずれた場合について示してある。尚、図４（ｂ）と（ｃ）とのそれぞれに示した、駆動レバー７０のずれた角度は略同一である。
【００２８】
図４（ｂ）に示すように、駆動レバー７０の位置が僅かにずれた場合、第２ピン７２の中心位置は、羽根の移動方向にＤ１だけずれる。
一方、図４（ｃ）に示すように、駆動レバー７０の位置が僅かにずれた場合であっても、第２ピン７２の中心位置は、羽根の移動方向にＤ２ずれる。
【００２９】
Ｄ１とＤ２とを比較すると、駆動レバー７０の位置ずれによる回動角度は略同じであるにもかかわらず、羽根の移動方向へのずれが大きく異なり、Ｄ１＜Ｄ２であることが読み取れる。また、Ｄ１、Ｄ２は、そのまま各羽根の移動方向の位置ずれ量となる。即ち、駆動レバー７０の位置ずれによる回動範囲が同じであっても、駆動レバー７０の位置によっては、各羽根が移動方向に大きくずれる場合がある。
【００３０】
このように、駆動レバー７０は、第１羽根２０、補助羽根３０及び第２羽根５０が光路開口６１の状態が全閉状態に調節される際に、仮想線Ａに対して時計方向に４５度の角度範囲内に位置することにより、全閉状態の位置から駆動レバー７０が僅かにずれた場合であっても、各羽根の移動には大きく影響しない。従って、駆動レバー７０の位置精度をラフに設定した場合であっても、全閉状態を確実に保持することができる。
【００３１】
尚、光路開口６１の状態が全閉状態に調節される際に、第２ピン７２が角度範囲α２内に位置し、第１ピン７１が角度範囲α４内に位置するように設定した場合、即ち、駆動レバー７０が、仮想線Ａに対して反時計方向に４５度の角度範囲内に位置するように設定した場合であっても、上記と同様の効果を得ることができる。従って、駆動レバー７０は、仮想線Ａを中心とする９０度の角度範囲内に位置するように設定することによって、上記のような効果を得ることができる。
【００３２】
また、光路開口６１の状態が全閉状態のみならず、全開状態又は小絞り状態に調節される際に、駆動レバー７０が上記の位置に位置付けられるように設定することにより、上記と同様の効果を得ることができる。
【００３３】
また駆動レバー７０は、仮想線Ａを中心とする９０度の角度範囲内に位置すればよく、８０度や７０度の範囲内に位置するように設定してもよいし、仮想線Ａと略水平となるように設定してもよい。
【００３４】
次に、各羽根に形成された長孔について説明する。
図５は、各羽根に形成された長孔について説明図である。
図５（ａ）は、第１羽根２０を示している。
第１羽根２０には、開口２１から離隔した位置に、幅方向に半分以上の領域に渡って長孔２２が形成されている。長孔２２には途中で屈曲する屈曲部２２ａを有したく字状に形成されているカムとなっている。長孔２２は、開口２１側に凸となるように形成されている。
【００３５】
図５（ｂ）は、第２羽根５０を示している。
第２羽根５０についても、開口５１から離間した位置に、幅方向に半分以上の領域に渡って長孔５２が形成され、この長孔５２についても途中で屈曲する屈曲部５２ａを有したく字状に形成されているカムとなっている。長孔５２は、開口５１側と反対側に向けて凸となるように形成されている。
【００３６】
図５（ｃ）は、補助羽根３０を示している。
補助羽根３０は、逃げ孔３３の近傍に長孔３２が形成されている。長孔３２は、幅方向に半分以上の領域に渡って形成され、幅方向に対して僅かに傾斜した直線状に形成されている。
【００３７】
このように、各羽根に形成されている長孔は、羽根の幅方向に渡って形成されている。従って、駆動レバー７０は、仮想線Ａを中心とする９０度の角度範囲内に位置することができる。
【００３８】
次に、長孔の形状と羽根の移動量との関係について説明する。
図６は、長孔の形状の相違による羽根の移動量の違いの説明図である。
図６（ａ）は、第２ピン７２の回動にともなう長孔５２の位置の変化について示している。尚、各状態における第２ピン７２及び長孔５２の位置を明確に示すために、図６（ａ）においては、全開位置、全閉位置及び小絞り位置でのそれぞれの第２ピン７２及び長孔５２の位置を、（ａ）、（ｂ）及び（ｃ）として示している。また、第２ピン７２は、回動中心Ｐを中心として所定の範囲を回動する。
【００３９】
全開位置（ａ）において、第２ピン７２は、長孔５２の一端に位置付けられる。この際の長孔５２は、回動中心Ｐよりも僅かに右側に位置する。
全開位置（ａ）から第２ピン７２が反時計方向に回転し、第２ピン７２は、長孔５２の屈曲部５２ａ付近となる全閉位置（ｂ）に位置付けられる。この際の長孔５２は、回動中心Ｐよりも大きく左側（即ち光路開口６１側）に位置する。全開位置（ａ）から全閉位置（ｂ）までの長孔５２の移動距離をＬ１とする。
【００４０】
次に、全閉位置（ｂ）から第２ピン７２が更に反時計方向に回転し、第２ピン７２は長孔５２の他端の小絞り位置（ｂ）に位置付けられる。全閉位置（ｂ）から小絞り位置（ｂ）にかけて、長孔５２は、再び右側（即ち光路開口６１から離間する方向）に位置する。
【００４１】
このように、長孔５２は、駆動レバー７０が上記９０度の範囲内に位置する際に、駆動レバー７０の回動中心Ｐに向けて凸状に形成されている。詳細には、長孔５２は、第２ピン７２の回動軌跡に対して、凸状に形成されている。
【００４２】
次に、長孔５２を羽根の移動方向に対して垂直となる直線状に形成した場合について説明する。
図６（ｂ）は、長孔が羽根の移動方向に対して垂直となる直線状に形成された場合の、第２ピン７２の回動に伴う長孔の位置の変化について示している。尚、直線状に形成された長孔を長孔５２ｇとして説明する。また、上述した長孔５２（ａ）、５２（ｂ）、５２（ｃ）と対応させて、長孔５２ｇ（ａ）、５２ｇ（ｂ）、５２ｇ（ｃ）として図６（ｂ）に示す。
【００４３】
位置（ａ）から位置（ｂ）までの長孔５２ｇの移動距離をＬ２とする。
図６（ａ）に示した移動距離Ｌ１と、図６（ｂ）に示した移動距離Ｌ２とを比較すると、移動距離Ｌ１のほうが大きいことがわかる。
図６（ｃ）には、長孔５２の形状を示している。図６（ｃ）に示すように、長孔５２は、屈曲部５２ａから先端に至るまでの、羽根の移動方向の距離をΔｍとすると、この距離Δｍの分だけ、第２羽根５０は、左方向に大きく移動することができる。
【００４４】
このように、長孔５２は、駆動レバー７０が上記９０度の範囲内に位置する際に、駆動レバー７０の回動中心Ｐに向けて凸状に形成されているので、駆動レバー７０の回動によって駆動する第２羽根５０の移動量を大きくすることができる。
【００４５】
また、第１羽根２０に形成された長孔２２についても、長孔５２と同様の機能を有する。これにより、第１羽根２０及び第２羽根５０の相対的な移動量を大幅に増やすことができる。第１羽根２０及び第２羽根５０の相対的な移動量が大幅に増えることにより、各羽根や地板６０の大きさに比して光路開口６１が大きい場合であっても、光路開口６１を全開状態から全閉状態に調節することができる。また、光路開口６１の大きさを確保しつつ、各羽根や地板６０の大きさを小さくすることができるので、光量調節装置全体を小型化することができる。
【００４６】
また、補助羽根３０と第２羽根５０との間には、羽根受け板４０が挟まれている。この補助羽根３０は、第１羽根２０よりも移動量は小さいが、第１羽根２０と同一方向に移動する。この羽根受け板４０は、移動量が大きい第２羽根５０と、第２羽根５０と相反する方向に移動する補助羽根３０との移動を緩衝する機能を有する。これにより羽根の動きをスムーズに行うことができまた、羽根の磨耗を防止することができる。
【００４７】
次に、第１羽根２０と補助羽根３０との関係について説明する。
図７は、第１羽根２０と補助羽根３０との重なり量についての説明図である。
図７（ａ）は、全開状態における光路開口６１近傍の拡大図である。図７（ｂ）は、全閉状態における光路開口６１近傍の拡大図である。
【００４８】
図７（ａ）に示すように、第１羽根２０と補助羽根３０とは、光路開口６１を開放した状態で地板６０に保持されている。また、第１羽根２０と補助羽根３０とは、全閉状態に画定する際に光路開口６１を覆う、第１羽根２０の所定領域と補助羽根３０の所定領域とが、このスペースＳに収まるように保持されている。スペースＳは、光路開口６１の左縁から地板６０の左側端部までの距離をいう。
このスペースＳ内で第１羽根２０と補助羽根３０とが重なっている領域の長さをＬとする。
【００４９】
全閉状態に移行すると、図７（ｂ）に示すように、第１羽根２０と補助羽根３０とは、その重なり量が減少するようにして、光路開口６１を覆う。この第１羽根２０と補助羽根３０との重なりのずれ量をΔＬとすると、第１羽根２０と補助羽根３０とにより光路開口６１を覆う領域の長さは、Ｌ＋ΔＬと示すことができる。
【００５０】
このように、第１羽根２０と補助羽根３０とが重なった状態で光路開口６１を全開状態とし、第１羽根２０と補助羽根３０とが伸びるように重なり量が減少して、第２羽根５０と共に光路開口６１を全閉状態とするので、全開状態での第１羽根２０及び補助羽根３０の収まるスペースを小さくすることができる。これにより、光量調節装置についても小型化することができる。
【００５１】
次に、長孔２２、３２との形状の相違による第１羽根２０と補助羽根３０との重なりのずれ量について説明する。
図８は、長孔２２、３２との形状の相違による第１羽根２０と補助羽根３０との重なりのずれ量についての説明図である。尚、図８においては、各状態における第１ピン７１及び長孔３２の位置を明確に示すために、全開位置及び全閉位置でのぞれぞれの長孔３２及び第１ピン７１の位置を（ａ）、（ｂ）として示している。また、長孔２２を基準として、長孔３２及び第１ピン７１の位置の変化の様子を示している。
【００５２】
図８に示すように、第１ピン７１の全開位置（ａ）においては、長孔３２は、長孔２２に対して右側に位置する。また、第１ピン７１は、長孔２２及び長孔３２の下端部に位置付けられる。
【００５３】
第１ピン７１の全開位置（ａ）から第１ピン７１が反時計方向に回転し、第１ピン７１は、長孔２２の屈曲部２２ａ付近である第１ピン７１の全閉位置（ｂ）に位置付けられる。第１ピン７１の全閉位置（ｂ）での長孔３２の位置は、第１ピン７１の全開位置（ａ）での長孔３２の位置と比較し、左方向に位置がずれている。このときのすれ量をΔＬと示すことができる。即ち、図７に示した第１羽根２０と補助羽根３０との移動のずれ量は、長孔２２と長孔３２との形状が異なっているからである。この構成により、光路開口６１を全閉状態にするときと、全開状態にするときとで第１羽根２０と補助羽根３０との重なり具合をずらすことができる。
【００５４】
次に、小絞り状態に調節される際の駆動レバー７０の位置について説明する。
図９は、小絞り状態に調節される際の駆動レバーの位置の説明図である。
図９は、地板６０に形成された逃げ孔６２と小絞り状態に調節される際の駆動レバー７０を示している。
【００５５】
逃げ孔６２は、略円形状に形成されているが、その内輪郭の一部が逃げ孔６２の中心に向かって凸となるように湾曲して、その湾曲した部分にストッパ部６３が形成されている。ストッパ部６３は、逃げ孔６２の中心を介して対象となる２箇所の位置に形成されている。
【００５６】
小絞り状態に調節される際には、駆動レバー７０は、第１ピン７１及び第２ピン７２がストッパ部６３にそれぞれ当接し、それ以上の反時計方向への回動が規制される。
【００５７】
このように、各羽根は、ストッパ部６３により規制される回動範囲の一端に駆動レバー７０が位置するときに、光路開口６１は小絞り状態に調節されるので、常に小絞り状態での開口部の開口量を一定とすることができる。従って、精度よく小絞り状態を確定することができる。
【００５８】
また、ストッパ部６３は、地板６０に一体に形成されている。この構成により、簡単な構成で駆動レバー７０の回動範囲を規制することができる。
【００５９】
また、第１羽根２０、補助羽根３０及び第２羽根５０は、回動範囲の他端に駆動レバー７０が位置するときに、光路開口６１は全開状態に調節され、回動範囲の途中に駆動レバー７０が位置するときに、光路開口６１は全閉状態に調節される。この構成により、光路開口６１を全開状態、全閉状態及び小絞り状態に保持することができる。
【００６０】
また、第１羽根２０、補助羽根３０及び第２羽根５０は、駆動レバー７０が回動範囲の一端から途中に至るまでの上記各羽根の移動方向と、途中から他端に至るまでの上記各羽根の移動方向が相反するように設定されている。このため、駆動レバー７０が回動範囲の一端から途中に至るまでの間に、上記各羽根が小絞り位置から全閉位置への移行し、駆動レバー７０が回動範囲の途中から他端に至るまでの間に、上記各羽根が全閉位置から全開位置へと移行することができる。
【００６１】
また、前述したように長孔２２及び長孔５２は、各羽根の幅方向に渡ってカム形状に形成されている。この構成により、駆動レバー７０の回動位置によって各羽根を容易に小絞り位置、全閉位置、全開位置に移動させることができる。
【００６２】
次に、光量調節装置の変形例について説明する。
光量調節装置の変形例に係る第２羽根５０Ａは、開口５１の部分にＮＤフィルターを備えている。図１０は、ＮＤフィルター５１Ａを設けた第２羽根５０Ａの例示図である。ここでＮＤフィルター５１Ａは、駆動レバー７０が回動範囲の一端において、すなわち、各羽根が小絞り位置において光路開口６１を覆う様に設けられている。
このように、各羽根のうち少なくとも一枚にＮＤフィルターを設けるように構成してもよい。
【００６３】
以上本発明の好ましい実施形態について詳述したが、本発明は係る特定の実施形態に限定されるものではなく、特許請求の範囲に記載された本発明の要旨の範囲内において、変形・変更が可能である。
【００６４】
上記実施例において、図３に示したように、駆動レバーの一方向の回動により全開状態から全閉状態に移行し、全閉状態から小絞り状態に移行するように構成したが、このような構成に限定されず、例えば、全閉状態から全開状態に移行し、全開状態から小絞り状態に移行するように構成してもよい。
【００６５】
また、停止位置は実施例のように３つではなく一端と他端のみの２つでも良い。この場合、駆動レバー７０は、駆動レバー７０の回動の中心を通過し羽根の移動方向に平行な仮想線を中心とする９０度の角度範囲内で回動する。
【００６６】
第１羽根２０、補助羽根３０及び第２羽根５０は、その移動によって、地板６０に形成された光路開口６１より小さい口径を有する羽根受け板４０上の開口４１の通過光量を調節するように構成してもよい。
【００６７】
補助羽根３０を設けずに、第１羽根２０及び第２羽根５０のみで光路開口６１の通過光量を調節するようにしてもよい。また、この場合に、第１羽根２０と第２羽根５０との間に羽根受け板４０を介在させることにより、双方の羽根のスライドを緩衝することができる。
【図面の簡単な説明】
【００６８】
【図１】上方から見た光量調節装置の分解斜視図である。
【図２】下方から見た光量調節装置の分解斜視図である。
【図３】羽根の動作状態を示した図である。
【図４】全閉状態に画定される際の駆動レバー７０の位置についての説明図である。
【図５】各羽根に形成された長孔について説明図である。
【図６】長孔の形状の相違による羽根の移動量の違いの説明図である。
【図７】第１羽根２０と補助羽根３０との重なり量についての説明図である。
【図８】長孔との形状の相違による第１羽根と補助羽根との重なりのずれ量についての説明図である。
【図９】小絞り状態に画定される際の駆動レバーの位置の説明図である。
【図１０】ＮＤフィルターを設けた第２羽根の例示図である。
【符号の説明】
【００６９】
１              光量調節装置
１０            羽根押さえ板
１１            開口
１２、１３      逃げ孔
２０            第１羽根
２１            開口
２２            長孔
２４            ガイド孔
３０            補助羽根
３１            開口
３２            長孔
３３            逃げ孔
３４            ガイド孔
４０            羽根受け板
４１            開口
４２、４３      逃げ孔
５０            第２羽根
５１            開口
５２            長孔
５４            ガイド孔
６０            地板
６１            光路開口
６２            逃げ孔
６３            ストッパ部
６４            ガイドピン
６５            ガイド壁
７０            駆動レバー
７１            第１ピン
７２            第２ピン
８０            モータ
【図１】
2008065252.tif 000003
【図２】
2008065252.tif 000004
【図３】
2008065252.tif 000005
【図４】
2008065252.tif 000006
【図５】
2008065252.tif 000007
【図６】
2008065252.tif 000008
【図７】
2008065252.tif 000009
【図８】
2008065252.tif 000010
【図９】
2008065252.tif 000011
【図１０】
2008065252.tif 000012